(57)【要約】【課題】光レベルの変動を広範囲かつ動的に表示をすることができないという課題があった。【解決手段】対数アンプ１４は光信号に対応する入力電流を対数変換し、変換した電流に対応する電圧を出力する。比較器１５は、この対数アンプ１４の出力レベルと所定の閾値を比較して、対数アンプ１４の出力レベルの状態を判定して、判定結果をスイッチ回路１６に出力する。そしてスイッチ回路１６は、比較器１５の判定結果に基づき、異なる複数の波長で発光する可変発光ダイオード１７の発光波長を選択する。【選択図】図２
2008028745.tif 000002
【特許請求の範囲】
【請求項１】
異なる複数の波長で発光する可変発光ダイオードと、
光信号に対応する入力電流を対数変換し、変換した電流に対応する電圧を出力する対数アンプと、
上記対数アンプの出力レベルと所定の閾値を比較して、対数アンプの出力レベルの状態を判定して、判定結果を出力する比較器と、
上記比較器の判定結果に基づき、上記可変発光ダイオードの発光波長を選択するスイッチ回路とを備える光レベル表示装置。
【請求項２】
上記スイッチ回路で選択した上記可変発光ダイオードへの電流量を調整する電流制御部を備えることを特徴とする請求項１記載の光レベル表示装置。
【請求項３】
上記比較器が点滅用の閾値を有し、上記比較器が対数アンプの出力レベルが点滅用の閾値より低い値と判定した場合、上記比較器の判定結果に基づいて、上記電流制御部に上記可変発光ダイオードを点滅させる点滅制御部を備えることを特徴とする請求項２記載の光レベル表示装置。
【発明の詳細な説明】
【技術分野】
【０００１】
この発明は光レベル表示装置に関するものである。
【背景技術】
【０００２】
従来の光レベル表示装置としては、特許文献１のように光ファイバを経由して入力された光信号に応じて点灯および点滅表示するものがあった。
【０００３】
【特許文献１】特開２００３−１８１０５号公報（段落００２６〜段落００３８）
【発明の開示】
【発明が解決しようとする課題】
【０００４】
特許文献１の光レベル表示装置は閾値を元にオンオフといった一意的な表示のみであり、光レベルの変動を広範囲かつ動的に表示をすることができなかった。このため従来は光レベルの変動を広範囲かつ動的に認識するために、パワーメータなどの測定器や高価なモニタ機能を搭載しなければならないという課題があった。
【０００５】
この発明は上記のような課題を解決するためになされたもので、パワーメータなどの測定器や高価なモニタ機能を搭載することなく、光レベルの変動を広範囲かつ動的に表示をすることができる光レベル表示装置を得ることを目的とする。
【課題を解決するための手段】
【０００６】
本願発明に係る光レベル表示装置は、異なる複数の波長で発光する可変発光ダイオードと、光信号に対応する入力電流を対数変換し、変換した電流に対応する電圧を出力する対数アンプと、対数アンプの出力レベルと所定の閾値を比較して、対数アンプの出力レベルの状態を判定して、判定結果を出力する比較器と、比較器の判定結果に基づき、可変発光ダイオードの発光波長を選択するスイッチ回路とを備えるものである。
【発明の効果】
【０００７】
この発明によれば、可変発光ダイオードの発光色および発光強度の変化で光レベルの変動を広範囲かつ動的に表示することができるという効果を奏する。
【発明を実施するための最良の形態】
【０００８】
実施の形態１．
図１はＰＯＮ（Ｐａｓｓｉｖｅ  Ｏｐｔｉｃａｌ  Ｎｅｔｗｏｒｋ）システムの全体構成図である。このシステムは双方向システムであり、光信号を発信する基地局装置（ＯＬＴ、Ｏｐｔｉｃａｌ  Ｌｉｎｅ  Ｔｅｒｍｉｎａｌ）１と、その光信号を受信する端末装置（ＯＮＵ、Ｏｐｔｉｃａｌ  Ｎｅｔｗｏｒｋ  Ｕｎｉｔ）２と、光ファイバを分岐するための光スプリッタ３と、基地局装置１と光スプリッタ３を結ぶ光ファイバ（幹線）４と、光スプリッタ３と端末装置２を結ぶ光ファイバ（支線）５で構成されている。
【０００９】
図２はこの発明の実施の形態１における端末装置と光レベル表示装置の構成図である。
端末装置２は、光電変換器１１と電流電圧変換器１２とデータ再生器１３で構成する。光レベル表示装置は、対数アンプ１４と比較器１５とスイッチ回路１６と可変発光ダイオード１７によって構成される。この光レベル表示装置は、端末装置２と一体の構成することも可能である。
【００１０】
ここで光電変換器１１は、主にフォトダイオードで構成され、入力した光信号を電流として出力する。この出力する電流量は入力された光レベルに比例する。光電変換器１１からの電流は電流電圧変換器１２により電圧に変換されたのち、データ再生器１３にてデータ再生される。また光電変換器１１によって電流に変換された信号は、対数アンプ１４によって電圧に変換される。
【００１１】
対数アンプ１４は、光電変換器１１から入力する電流を対数変換し、変換した電流に対応する電圧を出力することができ、例えば１〜１００００倍の範囲で電流の入力レベルが変化した場合でも、電圧の出力レベルは１〜４倍の変化になる。このことにより、広範囲の入力電流の変化を表示に適した範囲の電圧に変換することができる。
【００１２】
可変発光ダイオード１７は、異なる複数の波長で発光するもので、例えば内部に赤と緑の２つの発光ダイオードを搭載し、赤の発光ダイオードに電流が流れた場合は赤色が発光し、緑の発光ダイオードに電流が流れた場合は緑色が発光し、両方に電流が流れた場合は赤と緑の波長の中間色である黄色が発光するものである。また可変発光ダイオード１７は一般的に電流量に応じて発光強度が変化するので、対数アンプ１４からのスイッチ回路１６を介した出力レベルに応じて可変発光ダイオード１７の発光強度を決定することができる。
【００１３】
比較器１５は、対数アンプ１４の出力レベルと所定の閾値を比較して、対数アンプ１４の出力レベルの状態を判定して、判定結果を出力するものである。
【００１４】
スイッチ回路１６は、比較器１５の判定結果に基づき、可変発光ダイオード１７の発光波長を選択するものであり、例えば可変発光ダイオード１７に搭載されている緑と赤の発光ダイオードのいずれか又は両方に電流を流すかを選択するものである。
【００１５】
図３は実施の形態１における対数アンプの電圧出力レベルの時間的変化と比較器１５が保持する所定の閾値を示している図である。比較器１５は、対数アンプ１４の電圧の出力レベルを判定するための閾値を有し、対数アンプ１４の電圧の出力レベルと閾値とを比較して、対数アンプ１４の出力レベルを判定し、その判定結果をスイッチ回路１６に出力する。スイッチ回路１６は比較器１５からの判定結果により可変発光ダイオード１７の発光波長を選択し、可変発光ダイオード１７はスイッチ回路１６で選択された発光ダイオードにのみ電流が流れて発光する。
【００１６】
次に実施の形態１の光レベル装置を含めたシステムの動作について説明する。
図１で示すように、基地局装置１から送信された光信号は光ファイバ４を経由し、光スプリッタ３で分割され、光ファイバ５を経由し、端末装置２に入力される。図２で示すように、端末装置２に入力された光信号は光電変換器１１により電流に変換され、光信号の光レベルに比例する電流量を出力し、この電流量は電流電圧変換器１２により電圧レベルに変換されたのち、データ再生器１３においてデータ再生される。一方、端末装置２の光電変換器１１で出力された電流は光レベル装置にも入力され、対数アンプ１４において光電変換器１１から入力する電流を対数変換し、変換した電流に対応する電圧を出力する。
【００１７】
そして、比較器１５は、例えば図３で示すように、対数アンプ１４からの電圧の出力レベルを比較する正常なレベルと中間レベルの境界を示す閾値１と、中間レベルと異常レベルの境界を示す閾値２の２つの閾値を設定し、対数アンプ１４からの電圧の出力レベルが閾値１よりも大きい場合、対数アンプ１４の出力レベルが正常レベルと判定し、スイッチ回路１６にその判定結果を出力する。スイッチ回路１６はこの判定結果により対数アンプ１４の出力レベルが正常レベルであることを示す例えば可変発光ダイオード１７の緑色の発光波長を選択する。このスイッチ回路１６の選択により、可変発光ダイオード１７の緑の発光ダイオードにのみ電流が流れて、可変発光ダイオード１７は緑色が発光する。
【００１８】
また比較器１５は、対数アンプ１４からの電圧の出力レベルが閾値１よりも小さく閾値２よりも大きい場合、対数アンプ１４の出力レベルが中間レベルと判定し、スイッチ回路１６にその判定結果を出力する。スイッチ回路１６はこの判定結果により対数アンプ１４の出力レベルが中間レベルであることを示す例えば可変発光ダイオード１７の黄色の発光波長を選択する。このスイッチ回路１６の選択により、可変発光ダイオード１７の緑と赤の発光ダイオードに電流が流れて、可変発光ダイオード１７は中間色である黄色が発光する。
【００１９】
また比較器１５は、対数アンプ１４からの電圧の出力レベルが閾値２よりも小さい場合、対数アンプ１４の出力レベルが異常レベルと判定し、スイッチ回路１６にその判定結果を出力する。スイッチ回路１６はこの判定結果により対数アンプ１４の出力レベルが異常レベルであることを示す例えば可変発光ダイオード１７の赤色の発光波長を選択する。このスイッチ回路１６の選択により、可変発光ダイオード１７の赤の発光ダイオードに電流が流れて、可変発光ダイオード１７は赤色が発光する。
【００２０】
また可変発光ダイオード１７は、一般的に電流量に応じて発光強度が変化するので、対数アンプの出力レベルの低下とともに発光強度は弱くなる。
【００２１】
従って、図３で示すような対数アンプの電圧出力レベルの時間的変化の場合、可変発光ダイオード１７は、最初は正常レベルであるので緑色を発光し、出力レベルが低下するに従って、段々と緑色の発光強度が弱くなり、出力レベルが比較器１５で設定した中間レベルの閾値１に到達したときに、黄色の発光に変わり、また段々と黄色の発光強度が弱くなり、出力レベルが比較器１５で設定した異常レベルの閾値２に到達したときに、赤色が発光する。
【００２２】
また、実施の形態１の可変発光ダイオード１７の色は一例であり、実施の形態１の比較器１５では閾値を２つ用いているが閾値の数に制限はなく、中間レベルを用いず、正常レベルと異常レベルの２つを表示する光レベル表示装置とすることも可能である。また比較器１５で閾値を増やし、上記以外の色の発光ダイオードを増やすことで、レベルをさらに細分化することもできる。また、対数アンプ１４の出力レベルの状態による可変発光ダイオード１７の発光色は一例であり、異常レベルの閾値２に到達した場合を青色で表示することも可能である。
【００２３】
以上説明した実施の形態１によれば、異なる複数の波長で発光する可変発光ダイオード１７と、光信号に対応する入力電流を対数変換し、変換した電流に対応する電圧を出力する対数アンプ１４と、対数アンプ１４の出力レベルと所定の閾値を比較して、対数アンプ１４の出力レベルの状態を判定して、判定結果を出力する比較器１５と、比較器１５の判定結果に基づき、可変発光ダイオード１７の発光波長を選択するスイッチ回路１６とを備えることにより、可変発光ダイオード１７の発光色および発光強度の変化で光レベルの変動を広範囲かつ動的に表示することができるという効果を奏する。
【００２４】
また実施の形態１によれば、可変発光ダイオード１７の発光色および発光強度の変化で光レベルの変動を広範囲かつ動的に表示することができることにより、光レベルの変動を視覚的かつ容易に認識することができるという効果を奏する。
【００２５】
また実施の形態１によれば、光レベルの変動を視覚的かつ容易に認識することができることにより、通信品質を確保するために光ファイバ４の簡便な保守をすることができるという効果を奏する。
【００２６】
また実施の形態１によれば、光ファイバ４の簡便な保守ができることにより、業者に通報する時間が早くなるので、保守時間が大幅に短縮することができるという効果を奏する。
【００２７】
また実施の形態１によれば、光レベルの変動を広範囲かつ動的に表示することができるので、光ファイバ４の汚れなどによるパワー低下を未然に防ぐことができるという効果を奏する。
【００２８】
また実施の形態１によれば、光ファイバ４の簡便な保守をすることができるので、ＧＥＰＯＮ（Ｇｉｇａｂｉｔ  Ｅｔｈｅｒｎｅｔ−Ｐａｓｓｉｖｅ  Ｏｐｔｉｃａｌ  Ｎｅｔｗｏｒｋ（Ｅｔｈｅｒｎｅｔは登録商標））に代表される宅内への光ファイバ引き込みに用いることができるという効果を奏する。
【００２９】
実施の形態２．
図４はこの発明の実施の形態２における端末装置と光レベル表示装置の構成図である。端末装置２は実施の形態１と同様である。この光レベル装置は、図４で示すように、実施の形態１の光レベル表示装置の構成に、電流制御部１８がスイッチ回路１６と可変発光ダイオード１７の間に加えられる構成である。
【００３０】
電流制御部１８は、対数アンプ１４が出力した電圧を電流に変換し、可変発光ダイオード１７へ流れる電流量を増幅する機能をもつ電気回路である。実施の形態１では、対数アンプ１４からの出力レベルが弱くなると、発光強度も弱くなる。一方、実施の形態２では、電流制御部１８が可変発光ダイオード１７へ流れる電流量を増幅し、可変発光ダイオード１７の発光強度を強くすることができる。
【００３１】
以上説明した実施の形態２によれば、電流制御部１８が、可変発光ダイオード１７へ流れる電流量を増幅して発光強度を調整することにより、光レベルの変動を視覚的に認識しやすくすることができ、通信品質の簡便な保守をすることができるという効果を奏する。
【００３２】
実施の形態３．
図５はこの発明の実施の形態３における端末装置と光レベル表示装置の構成図である。
端末装置２は実施の形態１と同様である。この光レベル表示装置は、図５で示すように、実施の形態２の光レベル表示装置の構成に、点滅制御部１９が加えられる構成であり、また点滅制御部１９は、比較器１５の判断結果に基づいて電流制御部１８に可変発光ダイオード１７を点滅する制御を行うものである。
【００３３】
図６は実施の形態３における対数アンプの電圧出力レベルの時間的変化と比較器が保持する所定の閾値を示している図である。
比較器１５は対数アンプ１４の出力レベルが異常レベルの状態において対数アンプ１４の出力レベルがさらに下がった場合に対応した緊急警告レベル用の閾値３を設定し、この閾値３よりも対数アンプ１４の出力レベルが低くなった場合に、対数アンプ１４の出力レベルが緊急警告レベルであると判断し、比較器１５は点滅制御部１９に判断結果を出力する。点滅制御部１９は比較器１５の判定結果に基づき、電流制御部１８に可変発光ダイオード１７の電流をオンオフさせることにより、可変発光ダイオード１７の発光を点滅させる制御を行う。
【００３４】
また比較器１５は点滅制御用の先に設定した閾値３よりもさらに低い値に新しい閾値４（図示せず）を設定し、対数アンプ１４からの出力レベルが閾値４よりも下がった場合に、点滅を一段と早くするなどの点滅パターンを変えることができる。またこの点滅は一例であり、色や閾値等は自由に選択できる。また、例えば正常レベルにおいて、閾値１の少し上に新たに閾値を設け、対数アンプ１４の出力レベルが正常レベルから中間レベルに移行する直前の状態を、可変発光ダイオード１７を点滅させることで表示することも可能である。また中間レベルでも同様に、閾値２の少し上に新たな閾値を設けて、対数アンプ１４の出力レベルが中間レベルから異常レベルに移行する直前の状態を、可変発光ダイオード１７を点滅させることで表示することも可能である。
【００３５】
以上説明した実施の形態３によれば、光レベル表示装置は、対数アンプ１４の出力が緊急警告レベルにあると比較器１５が判定した場合、比較器１５の判定結果に基づき、電流制御部１８に可変発光ダイオード１７を点滅させる点滅制御部１９を備えることにより、緊急状態であることを認識させるという効果を高めることができ、通信品質の簡便な保守をすることができるという効果を奏する。
【図面の簡単な説明】
【００３６】
【図１】ＰＯＮシステムの全体構成図である。
【図２】実施の形態１における端末装置と光レベル表示装置の構成図である。
【図３】実施の形態１における対数アンプの電圧出力レベルの時間的変化と比較器が保持する所定の閾値を示している図である。
【図４】実施の形態２における端末装置と光レベル表示装置の構成図である。
【図５】実施の形態３における端末装置と光レベル表示装置の構成図である。
【図６】実施の形態３における対数アンプの電圧出力レベルの時間的変化と比較器が保持する所定の閾値を示している図である。
【符号の説明】
【００３７】
１  基地局装置（ＯＬＴ）、２  端末装置（ＯＮＵ）、３  光スプリッタ、４  光ファイバ（幹線）、５  光ファイバ（支線）、１１  光電変換器、１２  電流電圧変換器、１３  データ再生器、１４  対数アンプ、１５  比較器、１６  スイッチ回路、１７  可変発光ダイオード、１８  電流制御部、１９  点滅制御部。
【図１】
2008028745.tif 000003
【図２】
2008028745.tif 000004
【図３】
2008028745.tif 000005
【図４】
2008028745.tif 000006
【図５】
2008028745.tif 000007
【図６】
2008028745.tif 000008